(57)【要約】  衣類乾燥機におけるドラム排出空気の温度の変化に基づいて凝縮媒体量を調節する方法であって、Ｓ１：衣類乾燥を開始し、衣類乾燥機におけるドラム排出空気の温度を検出することで、ドラム排出空気の温度が所定の温度値に達したことを特定するステップと、Ｓ２：衣類乾燥の開始からドラム排出空気の温度が当該所定の温度値に達するまでの時間値を算出するステップと、Ｓ３：少なくともステップＳ２で算出した時間値に基づいて、凝縮媒体の供給リズムを決定するステップと、Ｓ４：ステップＳ３で決定した凝縮媒体の供給リズムで凝縮媒体を供給するステップ、を含む。衣類乾燥機の起動から、衣類乾燥機におけるドラム排出空気の温度が前記所定の温度値に達するまでの間は凝縮媒体の供給をオフとする。時間値が大きくなるほど布類の水分が多いことを意味するため、後続の凝縮媒体供給時間はより長くなる。本発明の方法では、ドラム排出空気の温度変動に基づいて単位時間あたりの凝縮媒体供給量を調節するため、衣類の乾燥効率を保証可能であるとともに、凝縮媒体の無駄が回避される。【選択図】図３
2019521765.tif 000002
【特許請求の範囲】
【請求項１】
衣類乾燥機におけるドラム排出空気の温度変動に基づいて凝縮媒体量を調節する方法において、
Ｓ１：衣類乾燥を開始し、衣類乾燥機におけるドラム排出空気の温度を検出することで、ドラム排出空気の温度が所定の温度値に達したことを特定するステップと、
Ｓ２：衣類乾燥の開始からドラム排出空気の温度が当該所定の温度値に達するまでの時間値を算出するステップと、
Ｓ３：少なくともステップＳ２で算出した時間値に基づいて、凝縮媒体の供給リズムを決定するステップと、
Ｓ４：ステップＳ３で決定した凝縮媒体の供給リズムで凝縮媒体を供給するステップ、を含むことを特徴とする方法。
【請求項２】
衣類乾燥機の起動から、衣類乾燥機におけるドラム排出空気の温度が前記所定の温度値に達するまでの間は、凝縮媒体の供給をオフとすることを特徴とする請求項１に記載の衣類乾燥機におけるドラム排出空気の温度変動に基づいて凝縮媒体量を調節する方法。
【請求項３】
ステップＳ３における凝縮媒体の供給リズムには少なくとも２つのサイクルが含まれ、各サイクルが、前記時間値に基づいて決定される凝縮媒体を供給する時間長を少なくとも含むことを特徴とする請求項１又は２に記載の衣類乾燥機におけるドラム排出空気の温度変動に基づいて凝縮媒体量を調節する方法。
【請求項４】
衣類乾燥機におけるドラム排出空気の温度が前記所定の温度値に達するまでの時間値が大きいほど、少なくとも１サイクルにおける凝縮媒体を供給する時間長が長くなることを特徴とする請求項３に記載の衣類乾燥機におけるドラム排出空気の温度変動に基づいて凝縮媒体量を調節する方法。
【請求項５】
ステップＳ３における凝縮媒体の供給リズムには少なくとも２つのサイクルが含まれ、各サイクルが、前記時間値に基づいて決定される凝縮媒体を供給する単位時間長とインターバルを少なくとも含むことを特徴とする請求項１又は２に記載の衣類乾燥機におけるドラム排出空気の温度変動に基づいて凝縮媒体量を調節する方法。
【請求項６】
衣類乾燥機におけるドラム排出空気の温度が前記所定の温度値に達するまでの時間値が大きいほど、少なくとも１サイクルにおいて、凝縮媒体の供給がオンとなる単位時間長が当該サイクルに占める時間比率は大きくなることを特徴とする請求項５に記載の衣類乾燥機におけるドラム排出空気の温度変動に基づいて凝縮媒体量を調節する方法。
【請求項７】
ドラム排出空気の温度が所定の温度値に達した後の衣類乾燥プロセスは、第１段階と最終段階を含む少なくとも２つの段階に分けられ、更に、凝縮媒体の供給リズムは衣類乾燥段階の変動に伴って変化することを特徴とする請求項１又は２に記載の衣類乾燥機におけるドラム排出空気の温度変動に基づいて凝縮媒体量を調節する方法。
【請求項８】
ドラム排出空気の温度変動速度に基づいて衣類乾燥段階を分割し、測定した衣類乾燥機におけるドラム排出空気の温度変動速度が衣類乾燥機における所定の変動速度よりも小さいときを第１段階、衣類乾燥機におけるドラム排出空気の温度変動速度が衣類乾燥機における所定の変動速度よりも大きいときを第２段階とし、各段階が、凝縮媒体を供給する単位時間長とインターバルを含むことを特徴とする請求項７に記載の衣類乾燥機におけるドラム排出空気の温度変動に基づいて凝縮媒体量を調節する方法。
【請求項９】
衣類乾燥機におけるドラム排出空気の温度変動速度が所定の変動速度よりも小さい場合には凝縮媒体を供給する単位時間長を延長する一方、衣類乾燥機におけるドラム排出空気の温度変動速度が所定の変動速度よりも大きい場合には凝縮媒体を供給する単位時間長を短縮することを特徴とする請求項８に記載の衣類乾燥機におけるドラム排出空気の温度変動に基づいて凝縮媒体量を調節する方法。
【請求項１０】
衣類乾燥機におけるドラム排出空気の温度が前記所定の温度値に達するまでの時間値が大きくなるほど、後期の凝縮媒体供給時間長に対する初期の凝縮媒体供給時間長の比率は大きくなることを特徴とする請求項８に記載の衣類乾燥機におけるドラム排出空気の温度変動に基づいて凝縮媒体量を調節する方法。
【発明の詳細な説明】
【技術分野】
【０００１】
本発明は衣類乾燥機の技術分野に属し、具体的には、衣類乾燥機におけるドラム排出空気の温度変動に基づいて凝縮媒体量を調節する方法に関する。
【背景技術】
【０００２】
一般的に、衣類乾燥機は、乾燥対象の布類を収容するドラムと、ドラム空間に連通する凝縮装置を備えている。プロセスエアーは加熱後にドラム内の湿った布類と接触し、布類の水分を蒸発させて湿気を帯びる。続いて、湿気を帯びた高温のプロセスエアーは凝縮装置に進入する。凝縮装置では、プロセスエアーと低温の凝縮媒体が熱交換することで、プロセスエアー内の水分が凝縮されて分離する。衣類乾燥機の乾燥プロセス全体を通じて、凝縮装置付近の空気の含水量は変動することから、全動作プロセスにおいて衣類乾燥機が凝縮装置に求めるパワーも一様ではない。そのため、従来の衣類乾燥機のように、動作プロセス全体を通じて凝縮装置のパワーを一定に維持する動作方式の場合には、凝縮装置のパワーが無駄となり、資源を浪費することになる。
【０００３】
特許文献１は、衣類乾燥機及びその乾燥方法について、具体的に以下を開示している。即ち、衣類乾燥機は、制御装置と、乾燥対象の布類を収容する槽と、槽空間に連通する凝縮装置を含み、凝縮装置は凝縮媒体供給装置を含む。前記方法は、少なくとも凝縮媒体の温度に基づいて、乾燥プロセスにおける凝縮媒体の供給リズムを決定することを含む。更に、この発明では、乾燥プロセスにおいて、制御装置が槽内における布類情報の変動及び／又は乾燥に関わるプロセスエアー情報の変動を継続的に検出し、且つ、槽内における布類情報の変動及び／又は乾燥に関わるプロセスエアー情報の変動に基づいて凝縮媒体の供給リズムを調整することを開示している。当該特許では、凝縮媒体の温度に基づいて凝縮媒体の供給リズムを調節する方法につき重点的に紹介しているが、この方法には次のような課題が存在する。第一に、凝縮媒体の温度変動は衣類乾燥機におけるドラム排出空気の放熱に起因するため、乾燥プロセスをダイレクトに反映するものとはいえない。第二に、凝縮媒体、特に水を凝縮媒体として選択する際には比熱容量が大きくなるため、凝縮媒体の温度が俊敏には反応せず、更には凝縮媒体の供給調節精度にも影響する。
【０００４】
水の消費を抑えるために、従来の凝縮式衣類乾燥機では、凝縮用水の供給制御について、タイムノード（ｔｉｍｅ  ｎｏｄｅｓ）に基づき給水をオン・オフ制御するよう改良している。例えば、乾燥開始後に１５秒間給水し、５秒間給水を停止するといったサイクルで制御している。しかし、このような方式は布類の湿度による影響を考慮しておらず、単に水の供給量を減らしているに過ぎないため、却って凝縮が不十分となる結果、乾燥時間が長くなり、エネルギー消費が増大してしまう。
【０００５】
上記に鑑みて、本発明を提案する。
【先行技術文献】
【特許文献】
【０００６】
【特許文献１】中国特許出願番号第２０１４１０４７９９５５．Ｘ号明細書
【発明の概要】
【発明が解決しようとする課題】
【０００７】
本発明は、従来技術における瑕疵を解消し、衣類乾燥機におけるドラム排出空気の温度変動に基づいて凝縮媒体量を調節する方法を提供することを解決しようとする技術的課題とする。
【課題を解決するための手段】
【０００８】
上記の技術的課題を解決すべく、本発明で採用する技術方案の基本思想について以下に述べる。
【０００９】
衣類乾燥機におけるドラム排出空気の温度の変化に基づいて凝縮媒体量を調節する方法であって、Ｓ１：衣類乾燥を開始し、衣類乾燥機におけるドラム排出空気の温度を検出することで、ドラム排出空気の温度が所定の温度値に達したことを特定するステップと、Ｓ２：衣類乾燥の開始からドラム排出空気の温度が当該所定の温度値に達するまでの時間値を算出するステップと、Ｓ３：少なくともステップＳ２で算出した時間値に基づいて、凝縮媒体の供給リズムを決定するステップと、Ｓ４：ステップＳ３で決定した凝縮媒体の供給リズムで凝縮媒体を供給するステップ、を含む。
【００１０】
更に、衣類乾燥機の起動から、衣類乾燥機におけるドラム排出空気の温度が前記所定の温度値に達するまでの間は、凝縮媒体の供給をオフとする。
【００１１】
更に、ステップＳ３における凝縮媒体の供給リズムには少なくとも２つのサイクルが含まれ、各サイクルが、前記時間値に基づいて決定される凝縮媒体を供給する時間長を少なくとも含む。
【００１２】
更に、衣類乾燥機におけるドラム排出空気の温度が前記所定の温度値に達するまでの時間値が大きいほど、少なくとも１サイクルにおける凝縮媒体を供給する時間長が長くなる。
【００１３】
更に、ステップＳ３における凝縮媒体の供給リズムには少なくとも２つのサイクルが含まれ、各サイクルが、前記時間値に基づいて決定される凝縮媒体を供給する単位時間長とインターバルを少なくとも含む。
【００１４】
更に、衣類乾燥機におけるドラム排出空気の温度が前記所定の温度値に達するまでの時間値が大きいほど、少なくとも１サイクルにおいて、凝縮媒体の供給がオンとなる単位時間長が当該サイクルに占める時間比率は大きくなる。
【００１５】
更なる方案として、本発明では、ドラム排出空気の温度が所定の温度値に達した後の衣類乾燥プロセスを第１段階と最終段階を含む少なくとも２つの段階に分割し、更に、凝縮媒体の供給リズムが衣類乾燥段階の変動に伴って変化する。
【００１６】
更に、ドラム排出空気の温度変動速度に基づいて衣類乾燥段階を分割し、測定した衣類乾燥機におけるドラム排出空気の温度変動速度が衣類乾燥機における所定の変動速度よりも小さいときを第１段階、衣類乾燥機におけるドラム排出空気の温度変動速度が衣類乾燥機における所定の変動速度よりも大きいときを第２段階とし、各段階が、凝縮媒体を供給する単位時間長とインターバルを含む。
【００１７】
更に、衣類乾燥機におけるドラム排出空気の温度変動速度が所定の変動速度よりも小さい場合には凝縮媒体を供給する単位時間長を延長する一方、衣類乾燥機におけるドラム排出空気の温度変動速度が所定の変動速度よりも大きい場合には凝縮媒体を供給する単位時間長を短縮する。
【００１８】
更に、衣類乾燥機におけるドラム排出空気の温度が前記所定の温度値に達するまでの時間値が大きくなるほど、後期の凝縮媒体供給時間長に対する初期の凝縮媒体供給時間長の比率は大きくなる。
【００１９】
本発明の衣類乾燥機は、制御装置、加熱装置、乾燥対象の布類を収容するドラム、ドラム空間に連通する凝縮装置及びドラム排出空気の温度を検出する温度検出装置を含む。凝縮装置は凝縮媒体供給装置を含み、制御装置は、上記の方法に基づいて衣類乾燥機の運転を制御可能に設けられている。
【００２０】
衣類乾燥機が起動すると、制御装置は加熱装置の動作を制御して、ドラム内に加熱した空気を供給する。加熱空気がドラム内の布類と熱交換すると、布類の水分が蒸発して水蒸気を形成し、ドラムから排出される。温度検出装置はドラム排出空気の温度を検出し、制御装置は検出されたドラム排出空気の温度に基づいて凝縮媒体供給装置のオン・オフを制御する。
【００２１】
本発明では、検出したドラム排出空気の温度が所定の温度値に達するまでの時間値に基づいて凝縮媒体の第１供給リズムを決定するとともに、ドラム排出空気の温度変動速度に基づいて凝縮媒体の第２供給リズムを決定する。衣類乾燥機は、第１供給リズムと第２供給リズムを組み合わせて凝縮媒体を供給する。
【００２２】
衣類乾燥の開始から、ドラム排出空気の温度が所定の温度値に達するまでを衣類乾燥の前期段階とする。当該段階において、制御装置は凝縮媒体供給装置をオフとし、凝縮媒体を供給しないよう制御する。当該前期段階の時間長は凝縮媒体をどれだけ供給するかに影響し、時間が長くなるほど布類の水分が多いことを意味するため、後続の凝縮媒体供給時間がより長くなる。ドラム排出空気の温度が所定の温度値に達すると、制御装置は、凝縮媒体供給装置のオン・オフを間欠的に制御することでドラム排出空気の水分を凝縮する。ドラム内に進入する空気は大部分の熱が布類の水分により吸収されるため、ドラム排出空気の温度は変動が小さくなる。即ち、ドラム排出空気の温度変動速度は所定の変動速度よりも小さくなり、水分蒸発量もこのときが最も多くなる。よって、この段階では凝縮媒体の供給時間を延長する。衣類乾燥の進行に伴って、布類の水分は次第に減少するため、ドラム排出空気の温度変動速度は所定の変動速度よりも大きくなる。よって、この段階では凝縮媒体の供給時間長を短縮し、凝縮媒体供給装置における供給のインターバルを延長する。
【００２３】
本発明における凝縮媒体は、ドラム排出空気の水分を凝縮するための冷却水とすることが好ましい。
【発明の効果】
【００２４】
上記の技術方案を用いることで、本発明は従来技術と比較して次のような有益な効果を有する。即ち、本発明の衣類乾燥機では、ドラム排出空気の温度変動に基づいて単位時間あたりの凝縮媒体供給量を調節するため、衣類の乾燥効率を保証可能であるとともに、凝縮媒体の無駄が回避される。
【００２５】
以下に、図面を組み合わせて本発明の具体的実施形態につき更に詳細に述べる。
【００２６】
図面は本発明の一部として、本発明の更なる理解のために用いられる。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２７】
【図１】図１は、本発明の実施例に係る衣類乾燥機の制御装置における機能モジュールを示す図である。
【図２】図２は、本発明の実施例に係る凝縮媒体及び衣類乾燥機におけるドラム排出空気の温度の経時変化を示すグラフである。
【図３】図３は、本発明の他の実施例に係る凝縮媒体及び衣類乾燥機におけるドラム排出空気の温度の経時変化を示すグラフである。
【発明を実施するための形態】
【００２８】
上記の図面及び文字記載は何らかの方式で本発明の構想の範囲を制限する意図ではなく、特定の実施例を参照することで当業者に本発明の概念を説明するためのものである。
【００２９】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００３０】
本発明の衣類乾燥機は、筐体と、筐体内に装着されて乾燥対象の布類を収容するドラムを備える。ドラムの吸風口と排風口は、加熱装置及び凝縮装置にそれぞれ連通している。ドラム、加熱装置及び凝縮装置の間で空気を流動させるよう、加熱装置と凝縮装置の間には送風装置が接続されている。また、ドラムの排風口には、ドラム排出空気の温度を取得するための温度検出装置が更に装着されている。
【００３１】
凝縮装置は、空気経路と凝縮媒体供給装置を含む。凝縮媒体供給装置は、空気経路と熱伝導するよう連結された凝縮媒体経路と、凝縮媒体経路に装着される供給部材を含む。供給部材のオン・オフは制御装置により制御される。また、検出した温度情報を制御装置に送信可能なように、温度検出装置と制御装置は電気的に接続されている。
【００３２】
凝縮装置の具体的実施形態では、凝縮媒体を冷却水、供給部材をウォーターバルブとする。また、凝縮媒体経路については、空気経路の外部に位置する部分を送水ダクトとするとともに、空気経路の内部に位置する部分には独立したダクトを設けず、空気経路の内壁に沿って直接下方に延伸させてもよいし、空気経路の内部において下方に噴射させてもよい。
【００３３】
衣類乾燥プロセスにおいて、加熱装置で加熱された空気は送風装置によりドラム内に送り込まれ、内部の湿気を含んだ布類と接触すると、布類に含まれる水分を蒸発させる。続いて、湿気を含んだ高温の空気が凝縮装置の空気経路に進入し、凝縮媒体経路内の凝縮媒体と熱交換する。これにより、ドラム排出空気の温度が低下し、水分が凝縮することでドラム排出空気から分離する。続いて、乾燥した凝縮後の空気が再び加熱装置に進入し、加熱後に次のサイクルに突入する。このようにして、布類から水分を徐々に分離させる。
【００３４】
上記の衣類乾燥プロセスでは、凝縮媒体の供給は供給部材により決定されるとともに、制御装置により制御される。また、供給部材は一定のリズムでオン／オフされる。
【００３５】
本発明の衣類乾燥機におけるドラム排出空気の温度変動に基づいて凝縮媒体量を調節する方法は、Ｓ１：衣類乾燥を開始し、衣類乾燥機におけるドラム排出空気の温度を検出することで、ドラム排出空気の温度が所定の温度値に達したことを特定するステップと、Ｓ２：衣類乾燥の開始からドラム排出空気の温度が当該所定の温度値に達するまでの時間値を算出するステップと、Ｓ３：少なくともステップＳ２で算出した時間値に基づいて、凝縮媒体の供給リズムを決定するステップと、Ｓ４：ステップＳ３で決定した凝縮媒体の供給リズムで凝縮媒体を供給するステップと、を含む。
【００３６】
更に、衣類乾燥ドラム内の布類ができる限り迅速に所望の温度に達するよう、衣類乾燥の開始時、即ち、ドラム排出空気の温度が所定の温度値に達するまでは水を供給しない。なぜなら、この段階において衣類乾燥ドラム内の布類は昇温段階にあり、水分の蒸発は少量となるからである。この時点で水を供給すると衣類乾燥ドラム内における布類の昇温速度が影響を受ける結果、乾燥サイクル全体の蒸発に支障をきたすことになる。
【００３７】
上記の方法に対応して、図１に示すように、上記の方法を実現可能な一の実施例では、衣類乾燥機の制御装置が、記憶モジュール２０２、記録モジュール２０１、比較モジュール２０３及び実行モジュール２０４を含む。記憶モジュール２０２にはステップＳ１における所定の温度値が記憶されている。記録モジュール２０１は、衣類乾燥機におけるドラム排出空気の温度が所定の温度値に達するまでの時間を記録する。更に、記憶モジュール２０２には、一定の時間区間に対応する複数の制御プログラムが記憶されている。前記制御プログラムは、凝縮媒体の供給リズムを制御するためのものである。比較モジュール２０３は、記録モジュール２０１に記録された衣類乾燥機におけるドラム排出空気の温度が所定の温度値に達するまでの時間値を、記憶モジュール２０２に記憶されている時間区間と比較する。そして、前者の時間値がいずれの区間に属するかによって、対応する制御プログラムが、実行モジュール２０４に相応の凝縮媒体供給リズムを実行させるよう制御する。
【００３８】
具体的操作において、衣類乾燥機はステップＳ１における所定の温度値を５０℃に設定し、凝縮媒体として水を選択する。図２及び図３に示すように、衣類乾燥機におけるドラム排出空気の温度が所定の温度５０℃に達するまでの時間値ｔ２が大きいほど、布類の水分が多いことを意味するため、凝縮用水の供給時間は幾分延長される（図３参照）。また、所定の温度に達するまでの時間値ｔ１が小さいほど（ｔ１＜ｔ２）、布類の水分が少ないことを意味するため、凝縮用水の供給時間は幾分短縮される（図２参照）。
【００３９】
ステップＳ３における凝縮媒体の供給リズムには２つのサイクルが含まれる。また、各サイクルには、前記時間値に基づいて決定される凝縮媒体を供給する単位時間長とインターバルが含まれる。これらは、図２及び図３に示す凝縮媒体オン及び凝縮媒体オフに対応している。衣類乾燥機におけるドラム排出空気の温度が前記所定の温度値に達するまでの時間値が大きいほど、第１サイクルにおいて凝縮媒体の供給がオンとなる単位時間長が当該サイクルに占める時間比率は大きくなる。
【００４０】
本発明の原理：
衣類乾燥用の空気は、衣類乾燥機に進入すると布類の水分と熱交換を行う。これにより布類の水分が蒸発して空気に進入するため、空気は湿気を含んだ高温となる。凝縮式の衣類乾燥機では、湿気を含んだ高温の空気が凝縮器に進入し、凝縮媒体と熱交換することで、空気の温度が低下して湿度が飽和する。これにより、空気中の水分が液状に凝縮されて分離する。布類の水分が多い場合、ドラム進入空気の大部分の熱が水分によって吸収されるため、ドラム排出空気は温度上昇が緩やかとなる。ただし、温度が低い一方で、実際の水蒸気含有量は多量となる。また、布類の水分が少ない場合、水分によるドラム進入空気の熱吸収は減少するため、ドラム排出空気の温度は迅速に上昇するが、実際の水蒸気含有量は少量となる。以上から、蒸発した空気をより迅速に凝縮させられるよう、ドラム排出空気の昇温速度に基づいて凝縮媒体の供給量を調整すればよい。
【００４１】
衣類乾燥機の動作プロセス全体を通じて、ドラム排出温度は徐々に上昇し、布類の水分は徐々に減少する。そのため、乾燥プロセスの段階ごとに凝縮用水の供給時間をより細かく調整すればよい。衣類乾燥機が一定時間動作した後に衣類乾燥ドラム内に進入する空気の熱は大部分が布類の水分により吸収されるため、ドラム排出温度の変動は緩やかとなる。蒸発水分量はこのときに最も多くなるため、１サイクルにおける凝縮用水の供給時間は長めに設定する必要がある。乾燥の後期になると、布類の水分減少に伴って、衣類乾燥機におけるドラム排出温度の上昇速度は加速する。この場合、凝縮用水の供給時間を短縮したとしても、衣類乾燥機におけるドラム排出空気の水分は凝縮可能である。
【００４２】
具体的には、衣類乾燥の開始からドラム排出空気の温度が所定の温度値に達するまでを衣類乾燥の前期段階とする。当該段階において、制御装置は凝縮媒体供給装置をオフとし、凝縮媒体を供給しないよう制御する。当該前期段階の時間長は凝縮媒体をどれだけ供給するかに影響し、時間が長くなるほど布類の水分が多いことを意味するため、後続の凝縮媒体供給時間がより長くなる。ドラム排出空気の温度が所定の温度値に達すると、制御装置は、凝縮媒体供給装置のオン・オフを間欠的に制御することでドラム排出空気の水分を凝縮する。ドラム内に進入する空気は大部分の熱が布類の水分により吸収されるため、ドラム排出空気の温度は変動が小さくなる。即ち、ドラム排出空気の温度変動速度は所定の変動速度よりも小さくなり、水分蒸発量もこのときが最も多くなる。よって、この段階では凝縮媒体の供給時間を延長する。また、衣類乾燥の進行に伴って、布類の水分は次第に減少するため、ドラム排出空気の温度変動速度は所定の変動速度よりも大きくなる。よって、この段階では凝縮媒体の供給時間長を短縮し、凝縮媒体供給装置における供給のインターバルを延長する。
【００４３】
本発明は、ドラム排出空気の温度変動速度に基づいて衣類乾燥段階を分割し、測定した衣類乾燥機におけるドラム排出空気の温度変動速度が衣類乾燥機における所定の変動速度よりも小さいときを第１段階、衣類乾燥機におけるドラム排出空気の温度変動速度が衣類乾燥機における所定の変動速度よりも大きいときを第２段階とする。各段階には、凝縮媒体を供給する単位時間長とインターバルが含まれる。
【００４４】
衣類乾燥機におけるドラム排出空気の温度変動速度が所定の変動速度よりも小さい場合には凝縮媒体を供給する単位時間長を延長する一方、衣類乾燥機におけるドラム排出空気の温度変動速度が所定の変動速度よりも大きい場合には凝縮媒体を供給する単位時間長を短縮する。
【００４５】
更に、衣類乾燥機におけるドラム排出空気の温度が前記所定の温度値に達するまでの時間値が大きくなるほど、後期の凝縮媒体供給時間長に対する初期の凝縮媒体供給時間長の比率は大きくなる（図３参照）。
【００４６】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【図１】
2019521765.tif 000003
【図２】
2019521765.tif 000004
【図３】
2019521765.tif 000005
【国際調査報告】
2019521765.tif 000006
2019521765.tif 000007
2019521765.tif 000008
2019521765.tif 000009